(57)【要約】  コモンモードノイズフィルタは、非磁性体部と、非磁性体部の内部に形成された第１から第３のコイル導体とを備える。第２のコイル導体は第１のコイル導体から下方向に設けられており、第３のコイル導体は第２のコイル導体から下方向に設けられている。第１と第３のコイル導体とは、第２のコイル導体に対して下方向と直交する方向にずらして配置されている。第１と第３のコイル導体のうち少なくとも一方は、下方向と直交する上記方向から第２のコイル導体と見て重なっている。このコモンモードノイズフィルタは、これらのコイル導体をバランスよく磁気結合させ、差動信号を劣化させない。
2018066405.tif 000002
【特許請求の範囲】
【請求項１】
非磁性体部と、
前記非磁性体部の内部に形成されて、１ターン以上の渦巻き形状を有する第１のコイル導体と、
前記非磁性体部の内部に前記第１のコイル導体から下方向に設けられて、前記第１のコイル導体の前記渦巻き形状に平行に延びる１ターン以上の渦巻き形状を有してかつ前記第１のコイル導体に磁気結合する第２のコイル導体と、
前記非磁性体部の内部に前記第２のコイル導体から前記下方向に設けられて、前記第１のコイル導体の前記渦巻き形状と前記第２のコイル導体の前記渦巻き形状とに平行に延びる１ターン以上の渦巻き形状を有してかつ前記第１のコイル導体と前記第２のコイル導体とに磁気結合する第３のコイル導体と、
を備え、
前記第１のコイル導体と前記第３のコイル導体とは、前記第２のコイル導体に対して前記下方向と直交する方向にずらして配置されており、
前記第１のコイル導体と前記第３のコイル導体のうち少なくとも一方は、前記下方向と直交する前記方向から見て前記第２のコイル導体と重なっている、コモンモードノイズフィルタ。
【請求項２】
前記第１のコイル導体の一部と前記第３のコイル導体の一部とが、前記下方向と直交する前記方向から見て前記第２のコイル導体と重なる、請求項１に記載のコモンモードノイズフィルタ。
【請求項３】
前記第１のコイル導体の前記渦巻き形状は第１の内周から第１の外周までＭ回巻回されており（Ｍは１以上の数）、
前記第２のコイル導体の前記渦巻き形状は第２の内周から第２の外周までＭ回巻回されており、
前記第３のコイル導体の前記渦巻き形状は第３の内周から第３の外周までＭ回巻回されており、
前記下方向の断面において、前記第１のコイル導体の前記第１の内周からＮ周目の部分と前記第２のコイル導体の前記第２の内周からＮ周目の部分と前記第３のコイル導体の前記第３の内周からＮ周目の部分とは正三角形の３つの頂点をそれぞれ構成する（Ｎは１≦Ｎ≦Ｍを満たす数）、請求項１に記載のコモンモードノイズフィルタ。
【請求項４】
前記第１のコイル導体の前記渦巻き形状は第１の内周から第１の外周までＭ回巻回されており（Ｍは１以上の数）、
前記第２のコイル導体の前記渦巻き形状は第２の内周から第２の外周までＭ回巻回されており、
前記第３のコイル導体の前記渦巻き形状は第３の内周から第３の外周までＭ回巻回されており、
前記下方向の断面において、前記第２のコイル導体の前記第２の内周からＮ周目の部分と（Ｎ−１）周目の部分とは、前記第１のコイル導体の前記第１の内周からＮ周目の部分と（Ｎ−１）周目の部分との間に位置し、かつ前記第３のコイル導体の前記第３の内周からＮ周目の部分と（Ｎ−１）周目の部分との間に位置する（Ｎは１≦Ｎ≦Ｍを満たす数）、請求項１に記載のコモンモードノイズフィルタ。
【請求項５】
前記第１のコイル導体と前記第２のコイル導体と前記第３のコイル導体とは上面視で互いに重ならない、請求項１に記載のコモンモードノイズフィルタ。
【請求項６】
前記第１のコイル導体の前記渦巻き形状と前記第２のコイル導体の前記渦巻き形状と前記第３のコイル導体の前記渦巻き形状と同じである、請求項１に記載のコモンモードノイズフィルタ。
【請求項７】
非磁性体部と、
前記非磁性体部の内部に形成されて、１ターン以上の渦巻き形状を有する第１のコイル導体と、
前記非磁性体部の内部に前記第１のコイル導体から下方向に設けられて、前記第１のコイル導体の前記渦巻き形状に平行に延びる１ターン以上の渦巻き形状を有してかつ前記第１のコイル導体に磁気結合する第２のコイル導体と、
前記非磁性体部の内部に前記第２のコイル導体から前記下方向に設けられて、前記第１のコイル導体の前記渦巻き形状と前記第２のコイル導体の前記渦巻き形状とに平行に延びる１ターン以上の渦巻き形状を有してかつ前記第１のコイル導体と前記第２のコイル導体とに磁気結合する第３のコイル導体と、
を備え、
前記第１のコイル導体と前記第３のコイル導体とは、前記第２のコイル導体に対して前記下方向と直交する方向にずらして配置されており、
前記第１のコイル導体と前記第２のコイル導体と前記第３のコイル導体とは前記下方向と直交する方向から見て重ならず、
前記第２のコイル導体の上面と前記第１のコイル導体の下面とは面一であり、
前記第２のコイル導体の下面と前記第３のコイル導体の上面とは面一である、コモンモードノイズフィルタ。
【請求項８】
前記第１のコイル導体の前記渦巻き形状は第１の内周から第１の外周までＭ回巻回されており（Ｍは１以上の数）、
前記第２のコイル導体の前記渦巻き形状は第２の内周から第２の外周までＭ回巻回されており、
前記第３のコイル導体の前記渦巻き形状は第３の内周から第３の外周までＭ回巻回されており、
前記下方向の断面において、前記第１のコイル導体の前記第１の内周からＮ周目の部分と前記第２のコイル導体の前記第２の内周からＮ周目の部分と前記第３のコイル導体の前記第３の内周からＮ周目の部分とは正三角形の３つの頂点をそれぞれ構成する（Ｎは１≦Ｎ≦Ｍを満たす数）、請求項７に記載のコモンモードノイズフィルタ。
【請求項９】
前記第１のコイル導体の前記渦巻き形状は第１の内周から第１の外周までＭ回巻回されており（Ｍは１以上の数）、
前記第２のコイル導体の前記渦巻き形状は第２の内周から第２の外周までＭ回巻回されており、
前記第３のコイル導体の前記渦巻き形状は第３の内周から第３の外周までＭ回巻回されており、
前記下方向の断面において、前記第２のコイル導体の前記第２の内周からＮ周目の部分と（Ｎ−１）周目の部分とは、前記第１のコイル導体の前記第１の内周からＮ周目の部分と（Ｎ−１）周目の部分との間に位置し、かつ前記第３のコイル導体の前記第３の内周からＮ周目の部分と（Ｎ−１）周目の部分との間に位置する（Ｎは１≦Ｎ≦Ｍを満たす数）、請求項７に記載のコモンモードノイズフィルタ。
【請求項１０】
前記第１のコイル導体と前記第２のコイル導体と前記第３のコイル導体とは、上面視で互いに重ならない、請求項７に記載のコモンモードノイズフィルタ。
【請求項１１】
前記第１のコイル導体の前記渦巻き形状と前記第２のコイル導体の前記渦巻き形状と前記第３のコイル導体の前記渦巻き形状と同じである、請求項７に記載のコモンモードノイズフィルタ。
【発明の詳細な説明】
【技術分野】
【０００１】
本発明は、デジタル機器やＡＶ機器、情報通信端末等の各種電子機器に使用されるコモンモードノイズフィルタに関する。
【背景技術】
【０００２】
モバイル機器においてメインＩＣとディスプレイやカメラを接続するデジタルデータ伝送規格としてｍｉｐｉ（Ｍｏｂｉｌｅ  Ｉｎｄｕｓｔｒｙ  Ｐｒｏｃｅｓｓｏｒ  Ｉｎｔｅｒｆａｃｅ）Ｄ−ＰＨＹ規格が採用されて。この規格では、２本の伝送ラインを用いた差動信号で伝送する方式が用いられている。近年、カメラの解像度が飛躍的に高まり、更に高速な伝送方式として、３本の伝送ラインを用いて、送信側から各伝送ラインに異なる電圧を送り、受信側で各ライン間の差分をとることで差動出力をする方式がｍｉｐｉＣ−ＰＨＹ規格として実用化されている。【０００３】
図１０は従来のコモンモードノイズフィルタ５０１の分解斜視図である。コモンモードノイズフィルタ５０１は、複数の絶縁体層１ａと、３つの独立したコイル２〜４を有する。コイル２は互いに接続されたコイル導体２ａ、２ｂよりなる。コイル３は互いに接続されたコイル導体３ａ、３ｂよりなる。コイル４は互いに接続されたコイル導体４ａ、４ｂよりなる。コイル２〜４は下から順に積層方向に配置されている。コモンモードノイズフィルタ５０１にコモンモードノイズが入力されると、コイル２〜４が発生する磁束を互いに強め合あいインダクタンスとして動作することによってノイズを抑制する。【０００４】
従来のコモンモードノイズフィルタ５０１に類似する従来のコモンモードノイズフィルタが、例えば、特許文献１に開示されている。
【先行技術文献】
【特許文献】
【０００５】
【特許文献１】特開２００３−７７７２７号公報
【発明の概要】
【０００６】
コモンモードノイズフィルタは、非磁性体部と、非磁性体部の内部に形成された第１から第３のコイル導体とを備える。第２のコイル導体は第１のコイル導体から下方向に設けられており、第３のコイル導体は第２のコイル導体から下方向に設けられている。第１と第３のコイル導体とは、第２のコイル導体に対して下方向と直交する方向にずらして配置されている。第１と第３のコイル導体のうち少なくとも一方は、下方向と直交する上記方向から第２のコイル導体と見て重なっている。
【０００７】
他のコモンモードノイズフィルタでは、第１と第２と第３のコイル導体とは下方向と直交する方向から見て重なっていない。第２のコイル導体の上面と第１のコイル導体の下面とは面一である。第２のコイル導体の下面と第３のコイル導体の上面とは面一である。
【０００８】
これらのコモンモードノイズフィルタは、これらのコイル導体をバランスよく磁気結合させ、差動信号を劣化させない。
【図面の簡単な説明】
【０００９】
【図１】図１は実施の形態１におけるコモンモードノイズフィルタの断面図である。
【図２Ａ】図２Ａは実施の形態１におけるコモンモードノイズフィルタの上面図である。
【図２Ｂ】図２Ｂは実施の形態１におけるコモンモードノイズフィルタの下面図である。
【図２Ｃ】図２Ｃは実施の形態１におけるコモンモードノイズフィルタの回路図である。
【図３】図３は実施の形態１におけるコモンモードノイズフィルタの拡大断面図である。
【図４】図４は比較例のコモンモードノイズフィルタの分解斜視図である。
【図５Ａ】図５Ａは実施の形態１における他のコモンモードノイズフィルタの断面図である。
【図５Ｂ】図５Ｂは図５Ａに示すコモンモードノイズフィルタの上面図である。
【図６Ａ】図６Ａは実施の形態１におけるさらに他のコモンモードノイズフィルタの断面図である。
【図６Ｂ】図６Ｂは図６Ａに示すコモンモードノイズフィルタの上面図である。
【図７】図７は実施の形態１におけるさらに他のコモンモードノイズフィルタの拡大断面図である。
【図８】図８は実施の形態１におけるさらに他のコモンモードノイズフィルタの拡大断面図である。
【図９】図９は実施の形態２におけるコモンモードノイズフィルタ拡大の断面図である。
【図１０】図１０は従来のコモンモードノイズフィルタの分解斜視図である。
【発明を実施するための形態】
【００１０】
（実施の形態１）
図１は実施の形態１におけるコモンモードノイズフィルタ１００１の断面図である。図２Ａと図２Ｂはそれぞれコモンモードノイズフィルタ１００１の上面図と下面図である。図１は図２Ａと図２Ｂに示すコモンモードノイズフィルタ１００１の線１−１における断面を示す。図２Ｃはコモンモードノイズフィルタ１００１の回路図である。
【００１１】
コモンモードノイズフィルタ１００１は、非磁性体部１４と、非磁性体部１４の内部に設けられたコイル導体１１ａ、１１ｂ、１２ａ、１２ｂ、１３ａ、１３ｂを備える。コイル導体１１ａ、１１ｂは互いに電気的に接続されてコイル１１を構成する。コイル導体１２ａ、１２ｂは互いに電気的に接続されてコイル１２を構成する。コイル導体１３ａ、１３ｂは互いに電気的に接続されてコイル１３を構成する。実施の形態１では、コイル導体１１ａ、１１ｂはビア導体１６ａを介して互いに電気的に直列に接続されてコイル１１を構成する。コイル導体１２ａ、１２ｂはビア導体１６ｂを介して互いに電気的に直列に接続されてコイル１２を構成する。コイル導体１３ａ、１３ｂはビア導体１６ｃを介して互いに電気的に直列に接続されてコイル１３を構成する。コイル１１、１２、１３は互いに独立している。
【００１２】
非磁性体部１４は、積層された複数の非磁性体層よりなる。コイル導体１１ａ〜１３ａ、１１ｂ〜１３ｂは、銀等の導電材料を渦巻状に上記非磁性体層にそれぞれめっきまたは印刷することにより設けられる。
【００１３】
図２Ａに示すように、コイル導体１１ａは、内周１１１ａから外周２１１ａまで１ターン以上の渦巻き形状を有する。コイル導体１２ａは、内周１１２ａから外周２１２ａまで１ターン以上の渦巻き形状を有する。コイル導体１３ａは、内周１１３ａから外周２１３ａまで１ターン以上の渦巻き形状を有する。図２Ｂに示すように、コイル導体１１ｂは、内周１１１ｂから外周２１１ｂまで１ターン以上の渦巻き形状を有する。コイル導体１２ｂは、内周１１２ｂから外周２１２ｂまで１ターン以上の渦巻き形状を有する。コイル導体１３ｂは、内周１１３ｂから外周２１３ｂまで１ターン以上の渦巻き形状を有する。すなわち、コイル導体１１ａ〜１３ａ、１１ｂ〜１３ｂはＭ回巻回された渦巻き形状を有する（Ｍは１以上の数）。内周１１１ａ〜１１３ａ、１１１ｂ〜１１３ｂと外周２１１ａ〜２１３ａ、２１１ｂ〜２１３ｂとは、長手方向Ｄ１に延びる長辺と、長手方向Ｄ１に直角の短手方向Ｄ２に延びて長辺より短い短辺とを有する矩形状を有する。配線等に用いる部分を除いた主要部である渦巻き形状の部分の導体の幅、導体間のピッチ、導体の厚みは同じである。長手方向Ｄ１と短手方向Ｄ２とは下方向Ｄ１０に直角である。
【００１４】
上からコイル１１を構成するコイル導体１１ａとコイル１２を構成するコイル導体１２ａとコイル１３を構成するコイル導体１３ａとコイル１１を構成するコイル導体１１ｂとコイル１２を構成するコイル導体１２ｂとコイル１３を構成するコイル導体１３ｂとがこの順に配置され、積層部１５を構成する。すなわち、コイル導体１２ａはコイル導体１１ａから下方向Ｄ１０に設けられている。コイル導体１３ａはコイル導体１２ａから下方向Ｄ１０に設けられている。コイル導体１１ｂはコイル導体１３ａから下方向Ｄ１０に設けられている。コイル導体１２ｂはコイル導体１１ｂから下方向Ｄ１０に設けられている。コイル導体１３ｂはコイル導体１２ｂから下方向Ｄ１０に設けられている。
【００１５】
下方向Ｄ１０において、３つのコイルのうちの１つのコイルを構成する２つのコイル導体の間には、他の２つのコイルのうちの一方のコイルを構成する２つのコイル導体のうちの１つのコイル導体と、上記他の２つのコイルのうちの他方のコイルを構成する２つのコイル導体のうちの１つのコイル導体とが位置している。すなわち、下方向Ｄ１０において、コイル１１を構成するコイル導体１１ａ、１１ｂの間には、コイル１２を構成するコイル導体１２ａとコイル１３を構成するコイル導体１３ａとが位置している。下方向Ｄ１０において、コイル１２を構成するコイル導体１２ａ、１２ｂの間には、コイル１１を構成するコイル導体１１ｂとコイル１３を構成するコイル導体１３ａとが位置している。下方向Ｄ１０において、コイル１３を構成するコイル導体１３ａ、１３ｂの間には、コイル１１を構成するコイル導体１１ｂとコイル１２を構成するコイル導体１２ｂとが位置している。
【００１６】
コイル１１、１２が互いに磁気結合し、コイル１２、１３が互いに磁気結合し、コイル１１、１３が互いに磁気結合する。
【００１７】
コモンモードノイズフィルタ１００１では、コイル導体１１ａ、１３ａ、１１ｂ、１３ｂは、コイル導体１２ａ、１２ｂに対して下方向Ｄ１０と直交する方向Ｄ１１に上面視でずらして配置されている。すなわち、コイル１１、１３を構成するコイル導体１１ａ、１３ａは、コイル１２を構成するコイル導体１２ａに対して方向Ｄ１１に上面視でずらして配置されており、コイル１１、１３を構成するコイル導体１１ｂ、１３ｂは、コイル１２を構成するコイル導体１２ｂに対して方向Ｄ１１に上面視でずらして配置されている。
【００１８】
コイル導体１１ａ〜１３ａ、１１ｂ〜１３ｂは巻軸Ｃ１１を中心に巻回された渦巻き形状を有する。螺旋状に警戒されているコイル導体１１ａ、１３ａ、１１ｂ、１３ｂがコイル導体１２ａ、１２ｂに対して方向Ｄ１１にずらすとは、積層部１５の下方向Ｄ１０の任意の断面において、コイル導体１１ａ、１３ａ、１１ｂ、１３ｂの内周１１１ａ、１１３ａ、１１１ｂ、１１３ｂから外周２１１ａ、２１３ａ、２１１ｂ、２１３ｂに向かう或る巻き数の部分がコイル導体１２ａ、１２ｂの内周１１２ａ、１１２ｂから外周２１２ａ、２１２ｂに向かうその巻き数の部分の断面に対して上面視で方向Ｄ１１にずれていることを意味している。具体的には、積層部１５の下方向Ｄ１０の任意の断面において、コイル導体１２ａの内周１１２ａから外周２１２ａに向かう或る巻き数の部分がコイル導体１１ａ、１３ａの内周１１１ａ、１１３ａから外周２１１ａ、２１３ａに向かうその巻き数の部分の断面に対して上面視で方向Ｄ１１に巻軸Ｃ１１に向かってずれている。さらに、積層部１５の下方向Ｄ１０の任意の断面において、コイル導体１１ｂ、１３ｂの内周１１１ｂ、１１３ｂから外周２１１ｂ、２１３ｂ向かう或る巻き数の部分がコイル導体１２ｂの内周１１２ｂから外周２１２ｂに向かうその巻き数の部分の断面に対して上面視で方向Ｄ１１に巻軸Ｃ１１に向かってずれている。
【００１９】
コイル導体１１ａ、１３ａは上面視で実質的に同じ位置に配置されて下方向Ｄ１０で互いに対向しており、コイル導体１１ｂ、１３ｂは上面視で実質的に同じ位置に配置されて互いに対向している。コイル１１、１３を構成するコイル導体１１ａ、１３ａの渦巻き形状の部分は上面視で互いに重なっており、コイル１１、１３を構成するコイル導体１１ｂ、１３ｂの渦巻き形状の部分は上面視で互いに重なっている。
【００２０】
図１、図２Ａ、図２Ｂに示すコモンモードノイズフィルタ１００１では、上面視でコイル導体１１ａ、１３ａは上面視で完全に重なっており、コイル導体１１ｂ、１３ｂは上面視で完全に重なっている。上面視でコイル導体１１ａ、１３ａは上面視で部分的に重なっていてもよく、コイル導体１１ｂ、１３ｂは上面視で部分的に重なっていてもよい。
【００２１】
コモンモードノイズフィルタ１００１では、上面視で２つの位置に配置されているコイル導体の数が同じなので、積層時に加わる応力を均一にでき好ましい。しかし、コイル導体１１ｂ、１３ｂの上面視での位置を、コイル導体１２ｂの上面視での位置と入れ替えてもよい。
【００２２】
コイル１１を構成するコイル導体１１ａの一部とコイル１３を構成するコイル導体１３ａの一部とが、コイル１２を構成するコイル導体１２ａと方向Ｄ１１から見て重なっている。さらに、コイル１１を構成するコイル導体１１ｂの一部とコイル１３を構成するコイル導体１３ｂの一部とがコイル１２を構成するコイル導体１２ｂと方向Ｄ１１から見て重なっている。すなわち、コイル１１を構成するコイル導体１１ａとコイル１３を構成するコイル導体１３ａとが、コイル１２を構成するコイル導体１２ａと方向Ｄ１１から見て部分的に重なっている。さらに、コイル１１を構成するコイル導体１１ｂとコイル１３を構成するコイル導体１３ｂとがコイル１２を構成するコイル導体１２ｂと方向Ｄ１１から見て部分的に重なっている。
【００２３】
非磁性体部１４はコイル導体１１ａ、１１ｂ、１２ａ、１２ｂ、１３ａ、１３ｂを内蔵し、積層された複数の非磁性体層よりなる。これらの非磁性体層は、シート状に形成されたＣｕ−Ｚｎフェライト、ガラスセラミック等の非磁性材料で構成されている。
【００２４】
コイル導体１１ａ、１１ｂ、１２ａ、１２ｂ、１３ａ、１３ｂはそれぞれ複数の非磁性体層に金属等の導電性材料を蒸着、めっき、印刷等することによって形成する。
【００２５】
なお、非磁性体部１４の上方と下方にＮｉ−Ｃｕ−Ｚｎフェライト等の磁性材料からなる磁性体部１７ａ、１７ｂがそれぞれ設けられている。コモンモードノイズフィルタ１００１は磁性体部１７ａ、１７ｂを備えていなくてもよい。磁性体部１７ａ、１７ｂのそれぞれは交互に積層された複数の非磁性体層と複数の磁性体層とにより構成されていてもよい。
【００２６】
上記した構成により、積層体１８が形成される。積層体１８の両端面には、コイル導体１１ａ、１１ｂ、１２ａ、１２ｂ、１３ａ、１３ｂの端部と接続された６つの外部電極が設けられている。
【００２７】
上記したように、実施の形態１におけるコモンモードノイズフィルタ１００１においては、コイル１１の一部とコイル１２の一部とが方向Ｄ１１から見て互いに隣り合っており、コイル１２の一部とコイル１３の一部とが方向Ｄ１１から見て互いに隣り合い、コイル１１とコイル１３とが下方向Ｄ１０（縦方向）で互いに隣り合っている。したがって、コイル１１、１２、１３がバランスよく磁気結合する。すなわち、コイル１１，１２の対が互いに磁気結合し、コイル１２，１３の対がコイル１１，１２の対と同程度の強度で互いに磁気結合し、コイル１１，１３の対がコイル１１，１２の対とコイル１２，１３の対と同程度の強度で互いに磁気結合する。したがって、コイル１１〜１３に入力された差動信号を劣化させない。
【００２８】
コイル１１の一部とコイル１３の一部とが、コイル１２と方向Ｄ１１から見て重なっているので、コモンモードノイズフィルタ１００１を低背化できる。
【００２９】
実施の形態１におけるコモンモードノイズフィルタ１００１では、各コイルが互いに電気的に接続された２つのコイル導体で構成されている。実施の形態１におけるコモンモードノイズフィルタでは、各コイルが互いに電気的に接続された３つ以上のコイル導体により構成されていても同様の効果が得られる。もしくは、各コイルは１つのコイル導体で構成されていても、同様の効果が得られる。
【００３０】
図３は、実施の形態１におけるコモンモードノイズフィルタ１００１の拡大断面図であり、コモンモードノイズフィルタ１００１の下方向Ｄ１０の断面を示す。図３はコモンモードノイズフィルタ１００１の下方向Ｄ１０の断面でのコイル１２のコイル導体１２ａの内周１１２ａからＮ周目の部分４１２ａと（Ｎ−１）周目の部分３１２ａと、コイル１１のコイル導体１１ａの内周１１１ａからＮ周目の部分４１１ａと（Ｎ−１）周目の部分３１１ａと、コイル１１のコイル導体１３ａの内周１１３ａからＮ周目の部分４１３ａと（Ｎ−１）周目の部分３１３ａとを示す（Ｎは１≦Ｎ≦Ｍを満たす数）。
【００３１】
コイル導体１１ａ、１３ａの部分４１１ａ、４１３ａの間の距離Ｌａと、コイル導体１１ａ、１２ａの部分４１１ａ、４１２ａ間の距離Ｌｂと、コイル導体１２ａ、１３ａの部分４１２ａ、４１３ａの間の距離Ｌｃ実質的に同一であり、コイル導体１１ａ、１２ａ、１３ａの部分４１１ａ、４１２ａ、４１３ａは正三角形の３つの頂点をそれぞれ構成し、コイル導体１１ａ、１２ａ、１３ａの部分３１１ａ、３１２ａ、３１３ａは正三角形の３つの頂点をそれぞれ構成する。
【００３２】
すなわち、コイル導体１１ａとコイル導体１３ａとを結んだ線ＰＬａと、コイル導体１１ａとコイル導体１２ａとを結んだ線ＰＬｂと、コイル導体１２ａとコイル導体１３ａとを結んだ線ＰＬｃとは正三角形を構成する。
【００３３】
コイル１１、１２、１３の任意の２つのコイルの間の距離を実質的に同一とすることによって、磁気結合のバランスをより良くすることができる。
【００３４】
コイル導体１２ａのＮ周目の部分４１２ａとコイル導体１１ａの（Ｎ−１）周目の部分３１１ａとの間の距離Ｌｄと、コイル導体１２ａのＮ周目の部分４１２ａとコイル導体１３ａの（Ｎ−１）周目の部分３１３ａとの間の距離Ｌｅは距離Ｌａ、Ｌｂ、Ｌｃに実質的に同一である。
【００３５】
実施の形態１におけるコモンモードノイズフィルタ１００１のコイル導体１１ａ、１２ａ、１３ａの製造方法について、図３を参照にしながら説明する。
【００３６】
まず、非磁性体層１４ａの上面にコイル導体１３ａの部分１３ａ１を形成する。
【００３７】
次に、コイル導体１３ａの残りの部分１３ａ１の周囲で非磁性体層１４ａの上面に非磁性体層１４ｂを形成する。
【００３８】
次に、コイル導体１３ａの部分１３ａ１の上面にコイル導体１３ａの部分１３ａ２を形成し、非磁性体層１４ｂの上面にコイル導体１２ａの部分１２ａ１を形成する。次に、コイル導体１２ａ、１３ａの部分１２ａ１、１３ａ２の周囲で非磁性体層１４ｂの上面に非磁性体層１４ｃを形成する。
【００３９】
次に、コイル導体１２ａの部分１２ａ１の上面にコイル導体１２ａの部分１２ａ２を形成する。次に、コイル導体１２ａの部分１２ａ２の周囲で非磁性体層１４ｃの上面に非磁性体層１４ｄを形成する。
【００４０】
次に、コイル導体１２ａの部分１２ａ２の上面にコイル導体１２ａの残りの部分１２ａ３を形成し、非磁性体層１４ｄの上面にコイル導体１１ａの部分１１ａ１を形成する。次に、コイル導体１１ａ、１２ａの部分１１ａ１と１２ａ３の周囲で非磁性体層１４ｄの上面に非磁性体層１４ｅを形成する。
【００４１】
次に、コイル導体１１ａの部分１１ａ１の上面にコイル導体１１ａの残りの部分１１ａ２を形成する。次に、コイル導体１１ａの部分１１ａ２の周囲で非磁性体層１４ｅの上面に非磁性体層１４ｆを形成する。
【００４２】
コイル導体１１ｂ、１２ｂ、１３ｂもコイル導体１１ａ、１２ａ、１３ａと同様に形成する。
【００４３】
なお、コイル導体１１ａ、１１ｂ、１２ａ、１２ｂ、１３ａ、１３ｂの製造方法は、一般的に知られたスパッタ（薄膜）、めっき（めっき転写）、印刷のいずれもよく、また、これらの組合せでもよい。
【００４４】
図１０に示す従来のコモンモードノイズフィルタ５０１においては、コイル２、４の間にコイル３が配置されているので、コイル２、４の距離が大きく、これにより、コイル２はコイル４にほとんど磁気結合しない。
【００４５】
コモンモードノイズフィルタ５０１を３線式の差動信号線路に適用し差動データ信号を伝送すると、磁気結合していないコイル２、４で発生する磁束が互いにキャンセルされずに大きな残留インダクタンスを発生させる。したがって、差動データ信号には損失が発生し、差動信号品質が大きく劣化する。
【００４６】
図４は比較例のコモンモードノイズフィルタ５０２の分解斜視図である。図４において、図１０に示すコモンモードノイズフィルタ５０１と同じ部分には同じ参照番号を付す。図４に示すコモンモードノイズフィルタ５０２では、コイル２を構成するコイル導体２ａとコイル３を構成するコイル導体３ａとコイル４を構成するコイル導体４ａとコイル２を構成するコイル導体２ｂとコイル３を構成するコイル導体３ｂとコイル４を構成するコイル導体４ｂがこの順で積層されている。さらに、コイル２、３は２箇所で互いに隣り合っており、コイル３、４は２箇所で互いに隣り合っている。これにより、磁気結合を高めることができる。
【００４７】
しかし、比較例のコモンモードノイズフィルタ５０２では、コイル２、４はコイル３を挟んでおり、さらに互いに大きい距離だけ離れている。したがってコイル２、４の対はコイル２、３の対とコイル３、４の対とに比べて互いに大きく磁気結合しておらず、コイル２、３、４間はバランス良く磁気結合していない。
【００４８】
図４に示すコモンモードノイズフィルタ５０２に差動信号が入力されると、コイル３は、コイル３に近接するコイル２、４と良好に磁気結合しているので、差動信号の劣化が小さい。しかし、コモンモードノイズフィルタ５０２では、コイル導体２ｂ、４ｂの間の距離と、コイル導体２ａ、４ａの間の距離とが大きいので、コイル導体２ｂ、４ｂの間の磁気結合が弱く、コイル導体２ａ、４ａの間の磁気結合が弱い。したがって、コイル２、４を流れる差動信号が劣化する。
【００４９】
上記したように、実施の形態１におけるコモンモードノイズフィルタ１００１においては、コイル１１〜１３に入力された差動信号を劣化させない。
【００５０】
図５Ａは実施の形態１における他のコモンモードノイズフィルタ１００２の断面図である。図５Ｂはコモンモードノイズフィルタ１００２の上面図である。図５Ａは図５Ｂに示すコモンモードノイズフィルタ１００２の線５Ａ−５Ａにおける断面を示す。図５Ａと図５Ｂにおいて、図１から図３に示すコモンモードノイズフィルタ１００１と同じ部分には同じ参照番号を付す。コモンモードノイズフィルタ１００２では、コイル導体１１ａ、１２ｂ、１３ａは巻軸Ｃ１１を中心に巻回された渦巻き形状を有し、コイル導体１１ｂ、１２ａ、１３ｂは巻軸Ｃ１２を中心に巻回された渦巻き形状を有する。巻軸Ｃ１２は巻軸Ｃ１１に対してコイル導体の矩形状の対角方向、すなわち矩形状の長手方向Ｄ１と短手方向Ｄ２との双方にずれている。具体的には、コイル導体１１ａ、１３ａは上面視で重なり、コイル導体１１ｂ、１３ｂも上面視で重なる。コイル導体１２ａの長手方向Ｄ１に細長く延びる部分は、コイル導体１１ａ（１３ａ）の長手方向Ｄ１に細長く延びる部分に対して短手方向Ｄ２に平行な方向Ｄ２ａにずれている。コイル導体１２ａの短手方向Ｄ２に細長く延びる部分は、コイル導体１１ａ（１３ａ）の短手方向Ｄ２に細長く延びる部分に対して長手方向Ｄ１に平行な方向Ｄ１ａにずれている。コモンモードノイズフィルタ１００２はコモンモードノイズフィルタ１００１と同様の効果を有する。
【００５１】
図６Ａは実施の形態１におけるさらに他のコモンモードノイズフィルタ１００３の断面図である。図６Ｂはコモンモードノイズフィルタ１００３の上面図である。図６Ａは図６Ｂに示すコモンモードノイズフィルタ１００２の線６Ａ−６Ａにおける断面を示す。図６Ａと図６Ｂにおいて、図５Ａと図５Ｂに示すコモンモードノイズフィルタ１００２と同じ部分には同じ参照番号を付す。コモンモードノイズフィルタ１００３では、コイル導体１１ａ、１２ｂ、１３ａは巻軸Ｃ１１を中心に巻回された渦巻き形状を有し、コイル導体１１ｂ、１２ａ、１３ｂは巻軸Ｃ１２を中心に巻回された渦巻き形状を有する。巻軸Ｃ１２は巻軸Ｃ１１に対して短手方向Ｄ２に平行な方向Ｄ２ａにずれており、長手方向Ｄ１にはずれていない。具体的には、コイル導体１１ａ、１３ａは上面視で重なり、コイル導体１１ｂ、１３ｂも上面視で重なる。コイル導体１２ａの長手方向Ｄ１に細長く延びる部分は、コイル導体１１ａ（１３ａ）の長手方向Ｄ１に細長く延びる部分に対して短手方向Ｄ２に平行な方向Ｄ２ａにずれている。コイル導体１２ａの短手方向Ｄ２に細長く延びる部分は、コイル導体１１ａ（１３ａ）の短手方向Ｄ２に細長く延びる部分に対して長手方向Ｄ１と平行な方向にずれている。具体的には、コイル導体１２ａの短手方向Ｄ２に細長く延びる部分は、巻軸Ｃ１１、Ｃ１２に対して長手方向Ｄ１の領域Ｒ１１に位置する部分と、巻軸Ｃ１１、Ｃ１２に対して長手方向Ｄ１の反対の方向の領域Ｒ１２に位置する部分とを含む。コイル導体１２ａの短手方向Ｄ２に細長く延びて領域Ｒ１１に位置する部分は、コイル導体１１ａ（１３ａ）の短手方向Ｄ２に細長く延びて領域Ｒ１１に位置する部分に対して長手方向Ｄ１に平行な方向Ｄ１ｂにずれている。コイル導体１２ａの短手方向Ｄ２に細長く延びて領域Ｒ１２に位置する部分は、コイル導体１１ａ（１３ａ）の短手方向Ｄ２に細長く延びて領域Ｒ１２に位置する部分に対して長手方向Ｄ１に平行でかつ方向Ｄ１ｂの反対の方向Ｄ１ａにずれている。コモンモードノイズフィルタ１００３はコモンモードノイズフィルタ１００１、１００２と同様の効果を有する。
【００５２】
なお、コイル導体１１ｂ、１２ａ、１３ｂの巻軸Ｃ１２はコイル導体１１ａ、１２ｂ、１３ａの巻軸Ｃ１１に対して長手方向Ｄ１にずれており、短手方向Ｄ２にはずれていなくても同様の効果が得られる。
【００５３】
図７は実施の形態１におけるさらに他のコモンモードノイズフィルタ１００４の拡大断面図である。図７において、図１から図３に示すコモンモードノイズフィルタ１００１と同じ部分には同じ参照番号を付す。図７に示すコモンモードノイズフィルタ１００４では、上面視でコイル導体１２ａのＮ周目の部分４１２ａと（Ｎ−１）周目の部分３１２ａとはコイル導体１１ａのＮ周目の部分４１１ａと（Ｎ−１）周目の部分３１１ａとの間に位置し、コイル導体１３ａのＮ周目の部分４１３ａと（Ｎ−１）周面の部分３１３ａとの間に位置する。コイル導体１２ａの部分３１２ａ、４１２ａは互いに隣り合うが、同電位であるので、コイル導体１２ａの部分３１２ａ、４１２ａの間の距離Ｐを短くすることができ、これにより、コイル１１、１２、１３の巻数を増やすことができる。上面視で、コイル導体１１ａ、１３ａの部分４１１ａ、４１３ａのそれぞれとコイル導体１２ａの部分４１２ａとの間、すなわちコイル導体１１ａ、１３ａの部分３１１ａ、３１３ａのそれぞれとコイル導体１２ａの部分３１２ａとの間の距離Ｑは距離Ｐより大きい。
【００５４】
図８は実施の形態１におけるさらに他のコモンモードノイズフィルタ１００５の拡大断面図である。図８において、図１から図３に示すコモンモードノイズフィルタ１００１と同じ部分には同じ参照番号を付す。図８に示すコモンモードノイズフィルタ１００５では、コイル導体１１ａ、１２ａ、１３ａは互いに上面視で重ならず、同様に、コイル導体１１ｂ、１２ｂ、１３ｂは互いに上面視で重ならない。
【００５５】
図１から図３に示すコモンモードノイズフィルタ１００１では、互いに対向して上面視で重なる部分を有するコイル導体１１ａ、１３ａの間の静電容量が、互いに対向する部分の面積の小さいコイル導体１１ａ、１２ａの間の静電容量と、コイル導体１２ａ、１３ａの間の静電容量よりも大きくなる。図８に示すコモンモードノイズフィルタ１００５では、上面視でコイル導体１１ａがコイル導体１３ａに重ならないので、コイル導体１１ａ、１３ａの間の静電容量を低くすることができる。これにより、コモンモードノイズフィルタ１００５では、コイル導体１１ａ、１２ａ、１３ａの間の静電容量のバランスをとることができ、コモンモードノイズフィルタ１００５に入力された差動信号の劣化を防ぐことができる。
【００５６】
（実施の形態２）
図９は実施の形態２におけるコモンモードノイズフィルタ１００６の拡大断面図である。図９において、図１から図３に示す実施の形態１におけるコモンモードノイズフィルタ１００１と同じ部分には同じ参照番号を付す。
【００５７】
図９に示す実施の形態２におけるコモンモードノイズフィルタ１００６では、実施の形態１におけるコモンモードノイズフィルタ１００１とは異なり、コイル１１を構成するコイル導体１１ａとコイル１２をするコイル導体１２ａとコイル１３を構成するコイル導体１３ａとが下方向Ｄ１０と直交する方向Ｄ１１から見て重なっていない。さらに、コイル導体１２ａの上面がコイル導体１１ａの下面と面一であり、コイル導体１２ａの下面がコイル導体１３ａの上面と面一である。
【００５８】
コモンモードノイズフィルタ１００６においても、実施の形態１におけるコモンモードノイズフィルタ１００１と同様に、距離Ｌａ、Ｌｂ、Ｌｃは実質的に同一であり、コイル導体１１ａ、１２ａ、１３ａの部分４１１ａ、４１２ａ、４１３ａは正三角形の３つの頂点をそれぞれ構成し、コイル導体１１ａ、１２ａ、１３ａの部分３１１ａ、３１２ａ、３１３ａは正三角形の３つの頂点をそれぞれ構成する。
【００５９】
コモンモードノイズフィルタ１００６では、方向Ｄ１１において１つのコイル導体につき１つのみの非磁性体層が重なっているので、１つのコイル導体を複数回で形成する必要は無い。したがって、コモンモードノイズフィルタ１００６は実施の形態１におけるコモンモードノイズフィルタ１００１より容易に製造できる。
【００６０】
また、方向Ｄ１１から見てコイル導体１２ａの上面とコイル導体１１ａの下面との間に他の非磁性体層が存在せず、コイル導体１２ａの下面とコイル導体１３ａの上面との間に他の非磁性体層が存在しないので、コイル導体１１ａ〜１３を互いに強く磁気結合させることができる。
【００６１】
なお、３つのコイル導体の同じ巻き数の部分のいずれの２つが概ね同じ強さで磁気結合するように、コイル導体の大きさ、配置を調整する。
【００６２】
コモンモードノイズフィルタ１００６では、図７に示す実施の形態１におけるコモンモードノイズフィルタ１００４と同様にコイル導体１１ａ〜１３ａが配置されていてもよい。もしくは、コモンモードノイズフィルタ１００６では、図８に示す実施の形態１におけるコモンモードノイズフィルタ１００５と同様にコイル導体１１ａ〜１３ａが配置されていてもよい。
【００６３】
上記の図３と図７から図９の拡大断面図はコイル１１、１２、１３を構成するコイル導体１１ａ、１１ｂ、１１ｃを示すが、コイル１１、１２、１３を構成するコイル導体１１ｂ、１２ｂ、１３ｂも同様に配置されている。
【００６４】
実施の形態において、「上面」「下面」「下方向」「上面視」等の方向を示す用語は、コイル導体等のコモンモードノイズフィルタの構成部材の相対的な位置関係でのみ決まる相対的な方向を示し、鉛直方向等の絶対的な方向を示すものではない。
【符号の説明】
【００６５】
１１    コイル
１１ａ    コイル導体（第１のコイル導体）
１１ｂ    コイル導体
１２    コイル
１２ａ    コイル導体（第２のコイル導体）
１２ｂ    コイル導体
１３    コイル
１３ａ    コイル導体（第３のコイル導体）
１３ｂ    コイル導体
１４    非磁性体部
１５    積層部
【図１】
2018066405.tif 000003
【図２Ａ】
2018066405.tif 000004
【図２Ｂ】
2018066405.tif 000005
【図２Ｃ】
2018066405.tif 000006
【図３】
2018066405.tif 000007
【図４】
2018066405.tif 000008
【図５Ａ】
2018066405.tif 000009
【図５Ｂ】
2018066405.tif 000010
【図６Ａ】
2018066405.tif 000011
【図６Ｂ】
2018066405.tif 000012
【図７】
2018066405.tif 000013
【図８】
2018066405.tif 000014
【図９】
2018066405.tif 000015
【図１０】
2018066405.tif 000016
【手続補正書】
【提出日】平成30年4月19日(2018.4.19)
【手続補正１】
【補正対象書類名】明細書
【補正対象項目名】０００２
【補正方法】変更
【補正の内容】
【０００２】
モバイル機器においてメインＩＣとディスプレイやカメラを接続するデジタルデータ伝送規格としてｍｉｐｉ（Ｍｏｂｉｌｅ  Ｉｎｄｕｓｔｒｙ  Ｐｒｏｃｅｓｓｏｒ  Ｉｎｔｅｒｆａｃｅ）Ｄ−ＰＨＹ規格が採用されている。この規格では、２本の伝送ラインを用いた差動信号で伝送する方式が用いられている。近年、カメラの解像度が飛躍的に高まり、更に高速な伝送方式として、３本の伝送ラインを用いて、送信側から各伝送ラインに異なる電圧を送り、受信側で各ライン間の差分をとることで差動出力をする方式がｍｉｐｉＣ−ＰＨＹ規格として実用化されている。
【手続補正２】
【補正対象書類名】明細書
【補正対象項目名】０００３
【補正方法】変更
【補正の内容】
【０００３】
図１０は従来のコモンモードノイズフィルタ５０１の分解斜視図である。コモンモードノイズフィルタ５０１は、複数の絶縁体層１ａと、３つの独立したコイル２〜４を有する。コイル２は互いに接続されたコイル導体２ａ、２ｂよりなる。コイル３は互いに接続されたコイル導体３ａ、３ｂよりなる。コイル４は互いに接続されたコイル導体４ａ、４ｂよりなる。コイル２〜４は下から順に積層方向に配置されている。コモンモードノイズフィルタ５０１にコモンモードノイズが入力されると、コイル２〜４が発生する磁束を互いに強め合いインダクタンスとして動作することによってノイズを抑制する。
【手続補正３】
【補正対象書類名】明細書
【補正対象項目名】０００９
【補正方法】変更
【補正の内容】
【０００９】
【図１】図１は実施の形態１におけるコモンモードノイズフィルタの断面図である。
【図２Ａ】図２Ａは実施の形態１におけるコモンモードノイズフィルタの上面図である。
【図２Ｂ】図２Ｂは実施の形態１におけるコモンモードノイズフィルタの下面図である。
【図２Ｃ】図２Ｃは実施の形態１におけるコモンモードノイズフィルタの回路図である。
【図３】図３は実施の形態１におけるコモンモードノイズフィルタの拡大断面図である。
【図４】図４は比較例のコモンモードノイズフィルタの分解斜視図である。
【図５Ａ】図５Ａは実施の形態１における他のコモンモードノイズフィルタの断面図である。
【図５Ｂ】図５Ｂは図５Ａに示すコモンモードノイズフィルタの上面図である。
【図６Ａ】図６Ａは実施の形態１におけるさらに他のコモンモードノイズフィルタの断面図である。
【図６Ｂ】図６Ｂは図６Ａに示すコモンモードノイズフィルタの上面図である。
【図７】図７は実施の形態１におけるさらに他のコモンモードノイズフィルタの拡大断面図である。
【図８】図８は実施の形態１におけるさらに他のコモンモードノイズフィルタの拡大断面図である。
【図９】図９は実施の形態２におけるコモンモードノイズフィルタの拡大断面図である。
【図１０】図１０は従来のコモンモードノイズフィルタの分解斜視図である。
【手続補正４】
【補正対象書類名】明細書
【補正対象項目名】００１８
【補正方法】変更
【補正の内容】
【００１８】
コイル導体１１ａ〜１３ａ、１１ｂ〜１３ｂは巻軸Ｃ１１を中心に巻回された渦巻き形状を有する。螺旋状に巻回されているコイル導体１１ａ、１３ａ、１１ｂ、１３ｂがコイル導体１２ａ、１２ｂに対して方向Ｄ１１にずらすとは、積層部１５の下方向Ｄ１０の任意の断面において、コイル導体１１ａ、１３ａ、１１ｂ、１３ｂの内周１１１ａ、１１３ａ、１１１ｂ、１１３ｂから外周２１１ａ、２１３ａ、２１１ｂ、２１３ｂに向かう或る巻き数の部分がコイル導体１２ａ、１２ｂの内周１１２ａ、１１２ｂから外周２１２ａ、２１２ｂに向かうその巻き数の部分の断面に対して上面視で方向Ｄ１１にずれていることを意味している。具体的には、積層部１５の下方向Ｄ１０の任意の断面において、コイル導体１２ａの内周１１２ａから外周２１２ａに向かう或る巻き数の部分がコイル導体１１ａ、１３ａの内周１１１ａ、１１３ａから外周２１１ａ、２１３ａに向かうその巻き数の部分の断面に対して上面視で方向Ｄ１１に巻軸Ｃ１１に向かってずれている。さらに、積層部１５の下方向Ｄ１０の任意の断面において、コイル導体１１ｂ、１３ｂの内周１１１ｂ、１１３ｂから外周２１１ｂ、２１３ｂ向かう或る巻き数の部分がコイル導体１２ｂの内周１１２ｂから外周２１２ｂに向かうその巻き数の部分の断面に対して上面視で方向Ｄ１１に巻軸Ｃ１１に向かってずれている。
【手続補正５】
【補正対象書類名】明細書
【補正対象項目名】００３０
【補正方法】変更
【補正の内容】
【００３０】
図３は、実施の形態１におけるコモンモードノイズフィルタ１００１の拡大断面図であり、コモンモードノイズフィルタ１００１の下方向Ｄ１０の断面を示す。図３はコモンモードノイズフィルタ１００１の下方向Ｄ１０の断面でのコイル１２のコイル導体１２ａの内周１１２ａからＮ周目の部分４１２ａと（Ｎ−１）周目の部分３１２ａと、コイル１１のコイル導体１１ａの内周１１１ａからＮ周目の部分４１１ａと（Ｎ−１）周目の部分３１１ａと、コイル１３のコイル導体１３ａの内周１１３ａからＮ周目の部分４１３ａと（Ｎ−１）周目の部分３１３ａとを示す（Ｎは１≦Ｎ≦Ｍを満たす数）。
【手続補正６】
【補正対象書類名】明細書
【補正対象項目名】００３１
【補正方法】変更
【補正の内容】
【００３１】
コイル導体１１ａ、１３ａの部分４１１ａ、４１３ａの間の距離Ｌａと、コイル導体１１ａ、１２ａの部分４１１ａ、４１２ａ間の距離Ｌｂと、コイル導体１２ａ、１３ａの部分４１２ａ、４１３ａの間の距離Ｌｃとは実質的に同一であり、コイル導体１１ａ、１２ａ、１３ａの部分４１１ａ、４１２ａ、４１３ａは正三角形の３つの頂点をそれぞれ構成し、コイル導体１１ａ、１２ａ、１３ａの部分３１１ａ、３１２ａ、３１３ａは正三角形の３つの頂点をそれぞれ構成する。
【手続補正７】
【補正対象書類名】明細書
【補正対象項目名】００３７
【補正方法】変更
【補正の内容】
【００３７】
次に、コイル導体１３ａの部分１３ａ１の周囲で非磁性体層１４ａの上面に非磁性体層１４ｂを形成する。
【手続補正８】
【補正対象書類名】明細書
【補正対象項目名】００５１
【補正方法】変更
【補正の内容】
【００５１】
図６Ａは実施の形態１におけるさらに他のコモンモードノイズフィルタ１００３の断面図である。図６Ｂはコモンモードノイズフィルタ１００３の上面図である。図６Ａは図６Ｂに示すコモンモードノイズフィルタ１００３の線６Ａ−６Ａにおける断面を示す。図６Ａと図６Ｂにおいて、図５Ａと図５Ｂに示すコモンモードノイズフィルタ１００２と同じ部分には同じ参照番号を付す。コモンモードノイズフィルタ１００３では、コイル導体１１ａ、１２ｂ、１３ａは巻軸Ｃ１１を中心に巻回された渦巻き形状を有し、コイル導体１１ｂ、１２ａ、１３ｂは巻軸Ｃ１２を中心に巻回された渦巻き形状を有する。巻軸Ｃ１２は巻軸Ｃ１１に対して短手方向Ｄ２に平行な方向Ｄ２ａにずれており、長手方向Ｄ１にはずれていない。具体的には、コイル導体１１ａ、１３ａは上面視で重なり、コイル導体１１ｂ、１３ｂも上面視で重なる。コイル導体１２ａの長手方向Ｄ１に細長く延びる部分は、コイル導体１１ａ（１３ａ）の長手方向Ｄ１に細長く延びる部分に対して短手方向Ｄ２に平行な方向Ｄ２ａにずれている。コイル導体１２ａの短手方向Ｄ２に細長く延びる部分は、コイル導体１１ａ（１３ａ）の短手方向Ｄ２に細長く延びる部分に対して長手方向Ｄ１と平行な方向Ｄ１ａにずれている。具体的には、コイル導体１２ａの短手方向Ｄ２に細長く延びる部分は、巻軸Ｃ１１、Ｃ１２に対して長手方向Ｄ１の領域Ｒ１１に位置する部分と、巻軸Ｃ１１、Ｃ１２に対して長手方向Ｄ１の反対の方向の領域Ｒ１２に位置する部分とを含む。コイル導体１２ａの短手方向Ｄ２に細長く延びて領域Ｒ１１に位置する部分は、コイル導体１１ａ（１３ａ）の短手方向Ｄ２に細長く延びて領域Ｒ１１に位置する部分に対して長手方向Ｄ１に平行な方向Ｄ１ｂにずれている。コイル導体１２ａの短手方向Ｄ２に細長く延びて領域Ｒ１２に位置する部分は、コイル導体１１ａ（１３ａ）の短手方向Ｄ２に細長く延びて領域Ｒ１２に位置する部分に対して長手方向Ｄ１に平行でかつ方向Ｄ１ｂの反対の方向Ｄ１ａにずれている。コモンモードノイズフィルタ１００３はコモンモードノイズフィルタ１００１、１００２と同様の効果を有する。
【手続補正９】
【補正対象書類名】明細書
【補正対象項目名】００６３
【補正方法】変更
【補正の内容】
【００６３】
上記の図３と図７から図９の拡大断面図はコイル１１、１２、１３を構成するコイル導体１１ａ、１２ａ、１３ａを示すが、コイル１１、１２、１３を構成するコイル導体１１ｂ、１２ｂ、１３ｂも同様に配置されている。
【手続補正１０】
【補正対象書類名】特許請求の範囲
【補正対象項目名】請求項６
【補正方法】変更
【補正の内容】
【請求項６】
前記第１のコイル導体の前記渦巻き形状と前記第２のコイル導体の前記渦巻き形状と前記第３のコイル導体の前記渦巻き形状とは同じである、請求項１に記載のコモンモードノイズフィルタ。
【国際調査報告】
2018066405.tif 000017
2018066405.tif 000018
2018066405.tif 000019